(57)【要約】      （修正有）【課題】簡単な構成で、ポーションカップの開封面を十分に開封でき、ポーションカップから副剤を迅速に容器内へ落下混合でき、混合キャップを容器口部から取り外すことなく混合後の内容物を注出可能な混合キャップを提供すること。【解決手段】混合キャップ１００であって、外蓋１１０と、開封用カッター１４３を有する内蓋１３０と、ポーションカップＰとを有し、外蓋１１０は、外蓋天面１１１と筒状壁１１６とを有し、外蓋天面１１１には、外蓋天面１１１を貫通した注出孔１２１と、注出孔１２１を開閉可能な密閉カバー１２２が設けられ、筒状壁１１６の内周側に、ポーションカップＰを収容可能な保持空間１２０が設けられ、内蓋１３０の頂板部１３１には、頂板部１３１の上下を貫通した貫通孔１３２が設けられ、開封用カッター１４３は、保持空間１２０に対向する位置に設けられていること。【選択図】図２
2019131237.tif 000002
【特許請求の範囲】
【請求項１】
主剤が充填された容器の口部に装着され、副剤を容器内へ混合可能な混合キャップであって、
該混合キャップは、外蓋と、開封用カッターを有する内蓋と、充填された副剤を保持したまま密封可能な開封面を有するポーションカップを保持可能な保持空間とを有し、
前記外蓋は、前記内蓋と係合可能且つ相対的に回転可能に構成され、外蓋天面と、前記外蓋天面から下方に延びる筒状壁と、前記外蓋天面から下方に延びる、前記筒状壁より外方に形成された外蓋壁部と、前記外蓋天面から下方に延びる、前記筒状壁と前記外蓋壁部との間に形成された中間壁部とを有し、
前記外蓋天面には、前記筒状壁より周方向外方に位置し前記外蓋天面を貫通した注出孔と、前記注出孔を開閉可能な密閉カバーが設けられ、
前記保持空間は、前記筒状壁の内周側に前記ポーションカップを収容可能に構成され、
前記中間壁部には、前記中間壁部の下端から下方に延びる垂下片が設けられ、
前記内蓋は、前記容器口部と係合可能に構成され、頂板部と、前記頂板部から上方に延び前記外蓋壁部の内側に係合可能な筒状突起とを有し、
前記頂板部には、前記頂板部の上下を貫通し、前記容器口部と連通可能な貫通孔が設けられ、
前記筒状突起の内周面には、半径方向内方に膨出形成された回転防止部と、前記回転防止部よりも上端面が低く形成された落下規制部とが設けられ、前記回転防止部の一方と前記落下規制部の一方とは互いに隣接し、前記回転防止部の他方と前記落下規制部の他方との間には、落下誘導部が形成されており、
前記回転防止部と、前記落下規制部と、前記落下誘導部とは、外蓋と内蓋とが係合した際、前記垂下片の下端と同一円周上に位置するように構成され、
前記垂下片は、前記上蓋を開栓する際に前記落下誘導部と周方向に合致する位置まで回転した後、前記内蓋と相対的に上下移動可能に構成され、
前記開封用カッターは、前記頂板部の、前記ポーションカップの前記開封面と対向する位置に設けられていることを特徴とする混合キャップ。
【請求項２】
前記筒状壁の一部は、上下方向に亘って縮径部を有した非円形形状であることを特徴とする請求項１に記載の混合キャップ。
【請求項３】
前記ポーションカップは、前記開封面の周囲にフランジを有し、前記フランジの外周縁は、前記筒状壁と相似の関係にある非円形形状であることを特徴とする請求項１または請求項２に記載の混合キャップ。
【請求項４】
前記垂下片の下部には、前記垂下片の下部から半径方向内方に膨出形成された保持リブが設けられていることを特徴とする請求項１乃至請求項３のいずれかに記載の混合キャップ。
【請求項５】
前記保持リブは、前記フランジを保持可能に形成されていることを特徴とする請求項４に記載の混合キャップ。
【請求項６】
該混合キャップは、開封時に前記保持リブの下端と頂板部とが当接した際に、前記ポーションカップと前記頂板部との間に第１流路を形成することを特徴とする請求項４または請求項５に記載の混合キャップ。
【請求項７】
前記外蓋の注出孔は、前記縮径部の外方に形成され、前記縮径部の外方と前記筒状突起の内面に第２流路が形成され、前記注出孔と前記第２流路が連通していることを特徴とする請求項１乃至請求項６のいずれかに記載の混合キャップ。
【請求項８】
前記落下規制部の少なくとも１つの上面は、前記筒状突起の内周面から、前記筒状突起の中心軸側にむかって徐々に上方に向かい、前記支持片の下端を前記筒状突起の外周面に当接可能な傾斜部を有していることを特徴とする請求項１乃至請求項７のいずれかに記載の混合キャップ。
【請求項９】
前記開封用カッターは、前記貫通孔の外周縁に沿って弧状に延在し、前記開封面のめくり上げ方向に向かって徐々に下方に傾斜していることを特徴とする請求項１乃至請求項８のいずれかに記載の混合キャップ。
【請求項１０】
前記頂板部の上面には、前記頂板部から上方に延びる押上げリブが設けられ、前記開封面のめくり上げ方向に向かって徐々に下方に傾斜していることを特徴とする請求項１乃至請求項９のいずれかに記載の混合キャップ。
【発明の詳細な説明】
【技術分野】
【０００１】
本発明は、主剤が充填された容器の口部に装着され、副剤を容器内へ混合可能な混合キャップに関する。
【背景技術】
【０００２】
従来、主剤が充填された容器の口部に装着され、ポーションカップ内に充填された副剤を任意のタイミングで取り出し容器内の主剤と混合可能な混合キャップとして、容器の口部に装着可能な内蓋と、副剤を充填したポーションカップとで構成された混合キャップが特許文献１で公知である。
この特許文献１で公知の混合キャップは、円筒状に形成されたキャップ本体（第二の部材４）の半径方向中心から放射状に延びる開封用カッター（切断片４２）を有し、内蓋（第二の部材４）の上部には開封面（閉塞片８）を下に向けたポーションカップ（第一の部材２）が係合しており、ポーションカップ（第一の部材２）を押し込むことで、開封用カッター（切断片４２）によって開封面（閉塞片８）を切り裂き、ポーションカップ（第一の部材２）内に充填されている副剤を容器内へ落下させて主剤と混合するものである。
【先行技術文献】
【特許文献】
【０００３】
【特許文献１】特許第５８９３８５１号公報
【発明の概要】
【発明が解決しようとする課題】
【０００４】
ところが、上記特許文献で公知の混合キャップは、未だ改善の余地があった。
すなわち、ポーションカップ（第一の部材２）内の副剤を主剤と混合し終えた後、容器から内容物を取り出すには、内蓋（第二の部材４）を容器口部から外す必要があり、例えば、シャンプーや調味料等の、片手で使用する頻度が高く、容器内に水や異物が入りやすい使用環境では、迅速な容器の開閉を行えない虞があった。
また、容器内の内容物が高粘度原液の場合、内蓋（第二の部材４）を容器口部から外して内容物を取り出す際、容器口部の外周面に内容物が付着することで、内蓋（第二の部材４）を容器口部に装着しにくくなる虞があった。
【０００５】
また、ポーションカップ（第一の部材２）が十分に降下する前にポーションカップ（第一の部材２）の開封面（閉塞片８）が開封され始めるため、ポーションカップ（第一の部材２）と内蓋（第二の部材４）との隙間から、開封したポーションカップ（第一の部材２）内の副剤が容器外へ漏出するおそれがあった。
また、開封前のポーションカップ（第一の部材２）の降下を制限する制限片がポーションカップ（第一の部材２）に設けられているが、制限片は円筒状の内蓋（第二の部材４）よりも半径方向外方へ突出しているため、搬送時における混合キャップの周方向の向きに注意する必要があるとともに、突出した制限片に不意に触れてしまい、開封時以外で制限片を破断してしまうおそれがあった。
【０００６】
本発明は、これらの問題点を解決するものであり、簡単な構成で、ポーションカップの開封面を十分に開封できるとともに、混合キャップ及び混合キャップを装着した容器の外部との密閉性を保ち、開封されたポーションカップから取り出した副剤を迅速に容器内の主剤側へ落下し混合させることができ、混合キャップを容器の口部から取り外すことなく混合後の内容物を注出可能な混合キャップを提供することを目的とするものである。
【課題を解決するための手段】
【０００７】
本発明の混合キャップは、主剤が充填された容器の口部に装着され、副剤を容器内へ混合可能な混合キャップであって、該混合キャップは、外蓋と、開封用カッターを有する内蓋と、充填された副剤を保持したまま密封可能な開封面を有するポーションカップを保持可能な保持空間とを有し、前記外蓋は、前記内蓋と係合可能且つ相対的に回転可能に構成され、外蓋天面と、前記外蓋天面から下方に延びる筒状壁と、前記外蓋天面から下方に延びる、前記筒状壁より外方に形成された外蓋壁部と、前記外蓋天面から下方に延びる、前記筒状壁と前記外蓋壁部との間に形成された中間壁部とを有し、前記外蓋天面には、前記筒状壁より周方向外方に位置し外蓋天面を貫通した注出孔と、前記注出孔を開閉可能な密閉カバーが設けられ、前記保持空間は、前記筒状壁の内周側に前記ポーションカップを収容可能に構成され、前記中間壁部には、前記中間壁部の下端から下方に延びる垂下片が設けられ、前記内蓋は、前記容器口部と係合可能に構成され、頂板部と、前記頂板部から上方に延び前記外蓋壁部の内側に係合可能な筒状突起とを有し、前記頂板部には、前記頂板部の上下を貫通し、前記容器口部と連通可能な貫通孔が設けられ、前記筒状突起の内周面には、半径方向内方に膨出形成された回転防止部と、前記回転防止部よりも上端面が低く形成された落下規制部とが設けられ、前記回転防止部の一方と前記落下規制部の一方とは互いに隣接し、前記回転防止部の他方と前記落下規制部の他方との間には、落下誘導部が形成されており、前記回転防止部と、前記落下規制部と、前記落下誘導部とは、外蓋と内蓋とが係合した際、前記垂下片の下端と同一円周上に位置するように構成され、前記垂下片は、前記上蓋を開栓する際に、前記落下誘導部と周方向に合致する位置まで回転した後、前記内蓋と相対的に上下移動可能に構成され、前記開封用カッターは、前記頂板部の、前記ポーションカップの前記開封面と対向する位置に設けられていることにより、前記課題を解決するものである。
【発明の効果】
【０００８】
請求項１に係る発明の混合キャップによれば、該混合キャップの外蓋天面は、外蓋天面を貫通した注出孔と、注出孔を開閉可能な密閉カバーが設けられているため、混合キャップ内の副剤を主剤と混合させた後、密閉カバーを開けることで、混合キャップを容器口部から外すことなく、注出孔から容器内の内容物を取り出すことができる。
また、保持空間は、筒状壁の内周側にポーションカップを収容可能に構成されているため、複数の種類の副剤を使用して生産する場合でも、ポーションカップの形状が統一されていれば、生産ラインの型替えの必要なく混合キャップの生産が可能である。
【０００９】
さらに、既に副剤が充填されているポーションカップを保持空間内に配置するため、混合キャップの組立て作業時に副剤が他の部品に付着して汚染してしまうことを抑制できる。
また、副剤は、容器口部と連通可能な貫通孔を通るため、確実に容器内へ落下できる。
【００１０】
さらに、外蓋の中間壁部には、中間壁部の下端から下方に延びる垂下片が設けられ、内蓋の筒状突起の内周面には、回転防止部と、落下規制部と、落下誘導部が形成されているため、垂下片が落下規制部に当接した際、外蓋は落下規制部と垂下片が当接している限り内蓋側へ落下することがないため、使用時以外にポーションカップの開封面と開封用カッターとが接触することを防ぐことができる。
また、落下規制部に隣接した回転防止部側には、垂下片が干渉することで外蓋の回転を防止できるとともに、外蓋を回転して落下規制部から落下誘導部側へ垂下片を移動し、落下誘導部へ落下させることで、外蓋全体が内蓋側へ落下でき、ポーションカップの開封面を、頂板部に形成された開封用カッターによって開封することができる。
【００１１】
請求項２に記載の構成によれば、筒状壁の外周面の一部は、上下方向に亘って縮径部を有した非円形形状であるため、容器口部から注出孔へ向かう内容物が流れやすく短い流路を形成でき、容器内の内容物をより一層効率よく取り出すことができる。
【００１２】
請求項３に記載の構成によれば、ポーションカップの開封面の周囲に設けられたフランジの外周縁は、筒状壁と相似の関係にある非円形形状であるため、開封面の開栓後、筒状壁の下端でフランジを全体的に押さえ込んで安定して固定できる。
【００１３】
請求項４に記載の構成によれば、垂下片の下部には、垂下片の下部から半径方向内方に膨出形成された保持リブが設けられているため、保持リブの上にポーションカップの下端縁を載せることで、ポーションを安定した姿勢で保持することができる。
また、保持リブの上下方向の厚み分、頂板部とポーションカップとの間に空間を形成でき、容器内の内容物を取り出す際、注出孔に向かう流路をポーションカップで塞ぐことなく十分に広く確保できる。
【００１４】
請求項５に記載の構成によれば、保持リブは、フランジを保持可能に形成されているため、開封前のポーションカップのフランジを、保持リブに載せることで、使用時以外に開封用カッターが開封面に触れて開封することを防止できるとともに、筒状壁の下端と保持リブとでフランジを全体的に挟み込んで安定して固定でき、使用時に確実に開封用カッターで開封面を開封することができる。
【００１５】
請求項６に記載の構成によれば、混合キャップは、開封時に保持リブの下端と頂板部とが当接した際に、ポーションカップと頂板部との間に第１流路を形成するため、混合した内容物を取り出す際、ポーションカップによって内容物の流路がふさがれることなく、容器口部から注出孔までの経路を短く構成でき、迅速に内容物を取り出すことができる。
【００１６】
請求項７に記載の構成によれば、外蓋の注出孔は、縮径部の外方に形成され、縮径部の外方と筒状突起の内面に第２流路が形成され、注出孔と第２流路が連通しているため、容器口部から第２流路へ流入した内容物を注出孔へ短い流路で流入でき、内容物をさらに一層効率よく取り出すことができる。
【００１７】
請求項８に記載の構成によれば、落下規制部の少なくとも１つの上面は、筒状突起の内周面から、筒状突起の中心軸側にむかって徐々に上方に向かい、垂下片の下端を筒状突起の外周面に当接可能な傾斜部を有しているため、落下規制部に垂下片が当接した際、垂下片が落下規制部よりも半径方向内方へ移動して外蓋全体がさらに落下してしまうことを確実に防ぐことができる。
【００１８】
請求項９に記載の構成によれば、開封用カッターは、貫通孔の外周縁に沿って弧状に延在しているため、ポーションカップの開封面の縁に沿って大きく開口できるとともに、副剤を迅速に貫通孔へ流入できる。
また、開封面のめくり上げ方向に向かって徐々に下方に傾斜しているため、開封用カッターは開封面のめくり上げ方向と反対側の位置から開封面に接触し、開封する力を一転に集中させ、めくり上げ方向に向かって徐々に開封することができ、より確実に開封面を開封することができる。
【００１９】
請求項１０に記載の構成によれば、頂板部には、上方に延びる押上げリブを有しているため、ポーションカップの開封面を押し上げることで、開封面の撓み弛みを解消し、開封用カッターを開封面に食い込みやすくできるとともに、開封用カッターが食い込んだ開封面の開口面積を確実に広げることができる。
さらに、押上げリブは開封面のめくり上げ方向に向かって徐々に下方に傾斜しているため、開封面のうち、開封用カッターが最初に接触する位置の撓みをより確実に解消できるとともに、開封用カッターが開封面に食い込む前に、開封面の他の位置に押上げリブが当接することを防ぐことで、開封用カッターを開封面により食い込みやすくできる。
【図面の簡単な説明】
【００２０】
【図１】本発明の一実施形態に係る混合キャップ１００の斜視図。
【図２】本発明の一実施形態に係る混合キャップ１００の断面図。
【図３】本発明の一実施形態に係る外蓋１１０の断面図。
【図４】本発明の一実施形態に係る外蓋１１０の下面図。
【図５】本発明の一実施形態に係る内蓋１３０の斜視図。
【図６】本発明の一実施形態に係る内蓋１３０の断面図。
【図７】本発明の一実施形態に係るポーションカップＰの断面図および下面図。
【図８】本発明の一実施形態に係る混合キャップ１００の上面図および副剤Ｓの混合手順１を示すＡ−Ａ’断面図。
【図９】本発明の一実施形態に係る混合キャップ１００の、副剤Ｓの混合手順１を示すＢ−Ｂ’断面図。
【図１０】本発明の一実施形態に係る混合キャップ１００の、副剤Ｓの混合手順１における固定リブ１１９の位置を示す断面斜視図。
【図１１】本発明の一実施形態に係る混合キャップ１００の、副剤Ｓの混合手順２を示すＡ−Ａ’断面図。
【図１２】本発明の一実施形態に係る混合キャップ１００の、副剤Ｓの混合手順２における固定リブ１１９の位置を示す断面斜視図。
【図１３】本発明の一実施形態に係る混合キャップ１００の、副剤Ｓの混合手順３を示すＡ−Ａ’断面図。
【図１４】本発明の一実施形態に係る混合キャップ１００の、副剤Ｓの混合手順３における固定リブ１１９の位置を示す断面斜視図。
【図１５】本発明の一実施形態に係る混合キャップ１００から、内容物Ｍを取り出す手順を示すＡ−Ａ’断面図。
【発明を実施するための形態】
【００２１】
以下に、本発明の一実施形態に係る混合キャップ１００について、図面に基づいて説明する。なお、混合キャップ１００に嵌合する容器は、容器口部Ｂのみを図示する。
混合キャップ１００は、主剤が充填された容器の口部Ｂに装着され、副剤Ｓを取り出し容器内へ混合可能なものであり、図１および図２に示すように、外蓋１１０と、開封用カッター１４３を有する内蓋１３０と、充填された副剤Ｓを保持したまま密封可能な開封面Ｐｓを有するポーションカップＰを保持可能な保持空間１２０とが設けられている。
【００２２】
外蓋１１０は内蓋１３０と係合可能且つ相対的に回転可能に構成され、図３および図４に示すように、外蓋天面１１１と、外蓋天面１１１から下方に延びる筒状壁１１６と、外蓋天面１１１から下方に延びる、筒状壁１１６より外方に形成された外蓋壁部１１２と、外蓋天面１１１から下方に延びる、筒状壁１１６と外蓋壁部１１２との間に形成された中間壁部１１７とを有している。
外蓋天面１１１には、筒状壁１１６より周方向外方に位置し外蓋天面１１１を貫通した注出孔１２１と、注出孔１２１を開閉可能な密閉カバー１２２が設けられている。
【００２３】
保持空間１２０は、筒状壁１１６の内周側にポーションカップＰを収容可能に構成されている。
中間壁部１１７には、中間壁部１１７の下端から下方に延びる複数の垂下片１１８（本実施形態では４個）が設けられており、垂下片１１８の側端の一方は、筒状壁１１６と連絡片１２３によって接続されている。
垂下片１１８の下端には、半径方向内方に膨出形成された保持リブ１１９が設けられている。
【００２４】
筒状壁１１６の外周面のうち、外蓋１１０の中心軸からみて注出孔１２１側に位置する箇所には、上下方向に亘って平面に形成された縮径部１２４が設けられている。
外蓋壁部１１２の内周面には、第１仮止めリブ１１３と、第１仮止めリブ１１３よりも上方に設けられた第２仮止めリブ１１４と、第２仮止めリブ１１４よりも上方に設けられた抜け止めリブ１１５とが、それぞれ半径方向内方に膨出形成されている。
【００２５】
内蓋１３０は、容器口部Ｂと係合可能に構成され、図５および図６に示すように、頂板部１３１と、頂板部１３１から上方に延び外蓋壁部１１２の内側に係合可能な筒状突起１３４と、頂板部１３１から下方に延び容器口部Ｂのとネジ係合可能なスカート壁１３３とを有している。
頂板部１３１には、頂板部１３１の上下を貫通し、容器口部Ｂと連通可能な貫通孔１３２、頂板部１３１から上方に延び、貫通孔１３２の外周縁に沿って弧状に延在している開封用カッター１４３と、開封用カッター１４３に囲繞される内部領域には、頂板部１３１から上方に延び、頂板部１３１の中心から３方向に放射状に形成された押上げリブ１４２が設けられている。
押上げリブ１４２と開封用カッター１４３は、開封用カッター１４３が形成する弧の開放側に向かって徐々に下方に傾斜するように形成されている。
【００２６】
筒状突起１３４の内周面には、半径方向内方に膨出形成された回転防止部１３５と、回転防止部１３５よりも上端面が低く形成された落下規制部１３６とが互いの一方の側面が隣接するように設けられ、回転防止部１３５の側面の他方と落下規制部１３６の側面の他方との間には、落下誘導部１３９が形成されている。
回転防止部１３５と、落下規制部１３６と、落下誘導部１３９とは、外蓋１１０と内蓋１３０とが係合した際、垂下片１１８の下端と同一円周上に位置するように構成されている。
【００２７】
落下規制部１３６の上面の少なくとも１つの上面は、筒状突起１３４の内周面から、筒状突起１３４の中心軸にむかって徐々に上方に向かう傾斜部１３７を有している。
また、落下規制部１３６の上面の少なくとも１つの上面の落下誘導部１３９側には、上方に延びる逆転防止部１３８が形成されている。
筒状突起１３４の内周面の上部には、半径方向内方に膨出形成された密着リング１４０が設けられ、筒状突起１３４の外周面には、半径方向外方に膨出形成された係止リブ１４１が設けられている。
【００２８】
ポーションカップＰは、図７に示すように、下面に設けられた開封面Ｐｓが、フランジＰｆに接続され、ポーションカップＰ内を密閉している。
また、ポーションカップＰの下面の概形は、円弧の両端を直線で結んだＤ型の形状を有している。
【００２９】
次に、混合キャップ１００の組み立てについて、図８乃至図１０に基づいて説明する。
【００３０】
まず、ポーションカップＰを外蓋１１０の保持空間１２０内にセットする。
このとき、ポーションカップＰのフランジＰｆを、筒状壁１１６の下端と保持リブ１１９との間に挟み込むような位置に固定することで、ポーションカップＰが保持空間１２０内から落下することなく確実に保持することができる。
【００３１】
次に、ポーションカップＰを挿入した外蓋１１０を、内蓋１３０に被せる。
このとき、外蓋壁部１１２と中間壁部１１７との間に筒状突起１３４を挿入するように外蓋１１０を内蓋１３０に被せると、筒状突起１３４の内周面の密着リング１４０は、中間壁部１１７の外周面に周方向均一に接触する。
また、筒状突起１３４の外周面の係止リブ１４１は、外蓋壁部１１２の内周面の第１仮止めリブ１１３と第２仮止めリブ１１４の間に挟まるように係合し、垂下片１１８の下端は、落下規制部１３６の上端に接触する。
【００３２】
第１仮止めリブ１１３と第２仮止めリブ１１４との間に係止リブ１４１を係合させることで、混合キャップ１００の搬送時にかかる程度の衝撃や振動では、外蓋１１０と内蓋１３０との上下方向の相対的な位置関係が変わることがなく、開封面Ｐｓに開封用カッター１４３が触れることがない。
また、垂下片１１８が落下規制部１３６から脱落することがないよう、本実施形態では傾斜部１３７が設けられており、落下規制部１３６に垂下片１１８が当接した際、垂下片１１８は傾斜部１３７によって、垂下片１１８の下端を筒状突起１３４の内周面に沿って移動する。
【００３３】
さらに、逆転防止部１３８が設けられた落下規制部１３６に垂下片１１８が当接していると、混合キャップ１００の搬送時等にかかる程度の衝撃や振動によって、外蓋１１０と内蓋１３０との周方向の相対的な位置関係がずれるような力が発生した場合でも、垂下片１１８は落下規制部１３６に隣接する回転防止部１３５と、逆転防止部１３８とによって移動が規制されているため、落下誘導部１３９へ垂下片１１８が不意に落下してしまうことを防ぐことができる。
【００３４】
次に、混合キャップ１００による、ポーションカップＰの副剤Ｓと、容器内の主剤との混合手順および注出手順について、図１１乃至図１５に基づいて説明する。
なお、説明のため、図の容器の向きはすべて正立状態のものを使用する。
【００３５】
まず、図１１および図１２に示すように、容器口部Ｂに混合キャップ１００を装着し、外蓋１１０を時計回りに回転させる。
外蓋１１０は内蓋１３０に対して相対的に回転するため、外蓋１１０を回転させると、垂下片１１８は、落下規制部１３６に隣接する落下誘導部１３９側へ徐々に移動する。
【００３６】
このとき、逆転防止部１３８の落下規制部１３６側の側面が、時計回り方向に進むにつれて筒状突起１３４の内周面から半径方向内方側へ向かう傾斜面で形成されているため、外蓋１１０を回転させる力によって、垂下片１１８は逆転防止部１３８を避けるように半径方向内方へ変形しながら、落下誘導部１３９側へ移動する。
また、逆転防止部１３８の落下誘導部１３９側の側面は、筒状突起１３４の内周面から半径方向内方へ向かう平面で形成されているため、垂下片１１８が逆転防止部１３８を乗越えた後、外蓋１１０を反時計回りに回転させようとしても、垂下片１１８が逆転防止部１３８を乗り越えることができず、外蓋１１０と内蓋１３０との周方向の相対的な位置関係を変更することはできない。
【００３７】
垂下片１１８を落下誘導部１３９上に移動させた後、外蓋１１０を押し込むと、図１３および図１４に示すように、垂下片１１８は落下誘導部１３９の最下端まで移動するため、外蓋１１０全体が内蓋１３０側移動し、開封面Ｐｓに開封用カッター１４３が食い込んで複数の破線状の亀裂を形成し、亀裂から副剤Ｓが少しずつ流出し、貫通孔１３２を通って容器内へ入り始める。
後述するが、ここで外蓋１１０を押し込んだ際、保持リブ１１９の高さの分だけ頂板部１３１とフランジＰｆには高さ方向に空間が形成され、内容物Ｍ取り出し時の第１流路Ｌ１となる。
【００３８】
また、縮径部１２４の外方と筒状突起１３４の内面に、注出孔１２１と連通する第２流路Ｌ２が形成される。
このとき、係止リブ１４１は第２仮止めリブ１１４と抜け止めリブ１１５を乗り越えて、抜け止めリブ１１５よりも上方まで移動する。これによって、外蓋１１０の、内蓋１３０から離脱する方向への移動を防ぐことができる。
【００３９】
また、押上げリブ１４２と開封用カッター１４３は、開封用カッター１４３が形成する弧の開放側に向かって徐々に下方に傾斜するように形成されているため、開封面Ｐｓのうち、開封用カッター１４３が最初に接触する位置の撓みをより確実に解消でき、開封用カッター１４３を開封面Ｐｓに食い込みやすくできるとともに、開封用カッター１４３による開封面Ｐｓを開封する力を一点に集中させることができ、より確実に開封面Ｐｓを開封することができる。
外蓋１１０を内蓋１３０側に押込みきる間に、開封用カッター１４３によって開封面Ｐｓは完全に開封され、副剤Ｓはすべて容器へ流入する。
【００４０】
このとき、密着リング１４０は、中間壁部１１７の外周面と周方向均一に密着しているため、副剤Ｓと主剤とを混合する際に容器を振っても、外蓋１１０と内蓋１３０との間から副剤Ｓや主剤が容器外へ漏れ出ることはない。
【００４１】
次に、副剤Ｓを容器内の主剤と混合した内容物Ｍを取り出す。
【００４２】
図１５に示すように、外蓋１１０の密閉カバー１２２を展開することで、外蓋天面１１１の注出孔１２１が開く。
容器を注出孔１２１側に傾けると、内容物Ｍは容器口部Ｂから貫通孔１３２を通り、頂板部１３１とフランジＰｆとの間に形成された第１流路Ｌ１を経由し、筒状壁１１６の外側の第２流路Ｌ２を通って注出孔１２１へ向かう。
【００４３】
このとき、ポーションカップＰは、フランジＰｆを筒状壁１１６の下端と保持リブ１１９とで位置固定されているため、保持リブ１１９の高さ分だけ頂板部１３１から離れた位置で保持し、第１流路Ｌ１が形成され、落下誘導部１３９の下端が頂板部１３１から底上げされている場合、頂板部１３１からさらに離れた位置で保持されている。
さらに、筒状壁１１６の外周面のうち、外蓋１１０の中心軸からみて注出孔１２１側に位置する箇所には、上下方向に亘って平面に形成された縮径部１２４が設けられているため、内容物Ｍが貫通孔１３２から注出孔１２１まで向かう流路を十分広く確保できる。
【００４４】
これによって、容器口部Ｂから混合キャップ１００を外すことなく、内容物Ｍを取り出すことが可能となり、内容物Ｍの取り出し操作が片手で簡単に操作できるとともに、内容物Ｍの取り出し操作中における容器内への異物の混入を抑制できる。
また、内蓋１３０の密着リング１４０が中間壁部１１７の内周面に密着しているため、筒状突起１３４と中間壁部１１７の間から内容物Ｍが漏れ出ることはない。
【００４５】
以上、本発明の実施形態を詳述したが、本発明は上記実施形態に限定されるものではなく、特許請求の範囲に記載された本発明を逸脱することなく種々の設計変更を行うことが可能である。
【００４６】
なお、上述した実施形態では、外蓋天面に注出孔が設けられているものとして説明したが、注出孔の形成位置はこれに限定されず、例えば、外蓋壁部に設けられていてもよい。
また、上述した実施形態では、ポーションカップは、フランジを、筒状壁の下端と保持リブとの間に挟み込むような位置に固定して保持されるものとして説明したが、ポーションカップの保持方法はこれに限定されず、例えば、開封用カッターに直接ポーションカップを支持させてもよい。
【００４７】
また、上述した実施形態では、垂下片の側端の一方は、筒状壁と連絡片によって接続されているものとして説明したが、垂下片の構成はこれに限定されず、例えば、連絡片がなくてもよく、連絡片を複数設けてもよい。
また、上述した実施形態では、筒状突起の内周面には、半径方向内方に膨出形成された回転防止部と、落下規制部とが形成され、回転防止部と落下規制部との間には落下誘導部が形成されているものとして説明したが、筒状突起の内周面の構成はこれに限定されず、例えば、回転防止部を形成せずに、時計回りでも反時計回りでも落下規制部から落下誘導部へ垂下片を移動させることができるようにしてもよく、落下誘導部を設けずに、垂下片が下方へ移動可能な空間を筒状突起の内周面側に確保していてもよい。
【００４８】
また、上述した実施形態では、落下規制部の上面の少なくとも１つの上面は、筒状突起の内周面から、筒状突起の中心軸にむかって徐々に上方に向かう傾斜部を有しているものとして説明したが、落下規制部の構成はこれに限定されず、例えば、傾斜部を設けなくてもよく、縦溝状に形成してもよい。
また、上述した実施形態では、落下規制部の上面の落下誘導部側には、上方に延びる逆転防止部が形成されているものとして説明したが、落下規制部の構成はこれに限定されず、例えば、逆転防止部がなくてもよく、筒状突起の内周面の、落下誘導部側に半径方向内方へ膨出形成してもよい。
【００４９】
また、上述した実施形態では、開封用カッターは、貫通孔の外周縁に沿って弧状に延在しているものとして説明したが、開封用カッターの構成はこれに限定されず、例えば、貫通孔の外周縁に沿って、多角形状に延在していてもよく、一定の間隔で点在していてもよい。
また、上述した実施形態では、押上げリブは、頂板部の中心から３方向に放射状に形成されているものとして説明したが、押上げリブの構成はこれに限定されず、例えば、頂板部の中心から上方に延びる棒状に形成されていてもよい。
【００５０】
また、上述した実施形態では、押上げリブと開封用カッターは、開封用カッターが形成する弧の開放側にむかって徐々に下方に傾斜するように形成されているものとして説明したが、押上げリブと開封用カッターの構成はこれに限定されず、例えば、押上げリブと開封用カッターは傾斜していなくてもよく、波状に上下していてもよい。
また、上述した実施形態では、筒状壁の外周面のうち、外蓋の中心軸からみて注出孔側に位置する箇所には、上下方向に亘って平面に形成された縮径部が設けられているものとして説明したが、縮径部の構成はこれに限定されず、例えば、縮径部を筒状壁の外周面の上下方向に亘って溝状に形成してもよく、縮径部を設けずに、筒状壁を、注出孔から遠ざかる方向へ外蓋の中心からオフセットするように設けてもよい。
【００５１】
また、上述した実施形態では、内容物を注出する際に容器を傾けるものとして説明したが、内容物の注出方法はこれに限定されず、例えば、スクイズボトルを容器として、容器を押して変形させることで内容物を注出孔から注出してもよい。
また、上述した実施形態では、下面の概形がＤ型形状のポーションカップを使用するものとして説明したが、使用するポーションカップの形状はこれに限定されず、例えば、下面の概形がＯ型形状や、多角形形状のポーションカップを使用し、ポーションカップを中心からオフセットして保持するようにしてもよい。
【符号の説明】
【００５２】
１００  ・・・  混合キャップ
１１０  ・・・  外蓋
１１１  ・・・  外蓋天面
１１２  ・・・  外蓋壁部
１１３  ・・・  第１仮止めリブ
１１４  ・・・  第２仮止めリブ
１１５  ・・・  抜け止めリブ
１１６  ・・・  筒状壁
１１７  ・・・  中間壁部
１１８  ・・・  垂下片
１１９  ・・・  保持リブ
１２０  ・・・  保持空間
１２１  ・・・  注出孔
１２２  ・・・  密閉カバー
１２３  ・・・  連絡片
１２４  ・・・  縮径部
１３０  ・・・  内蓋
１３１  ・・・  頂板部
１３２  ・・・  貫通孔
１３３  ・・・  スカート壁
１３４  ・・・  筒状突起
１３５  ・・・  回転防止部
１３６  ・・・  落下規制部
１３７  ・・・  傾斜部
１３８  ・・・  逆転防止部
１３９  ・・・  落下誘導部
１４０  ・・・  密着リング
１４１  ・・・  係止リブ
１４２  ・・・  押上げリブ
１４３  ・・・  開封用カッター
Ｐ  ・・・  ポーションカップ
Ｐｆ  ・・・  フランジ
Ｐｓ  ・・・  開封面
Ｂ  ・・・  容器口部
Ｓ  ・・・  副剤
Ｍ  ・・・  内容物
Ｌ１  ・・・  第１流路
Ｌ２  ・・・  第２流路
【図１】
2019131237.tif 000003
【図２】
2019131237.tif 000004
【図３】
2019131237.tif 000005
【図４】
2019131237.tif 000006
【図５】
2019131237.tif 000007
【図６】
2019131237.tif 000008
【図７】
2019131237.tif 000009
【図８】
2019131237.tif 000010
【図９】
2019131237.tif 000011
【図１０】
2019131237.tif 000012
【図１１】
2019131237.tif 000013
【図１２】
2019131237.tif 000014
【図１３】
2019131237.tif 000015
【図１４】
2019131237.tif 000016
【図１５】
2019131237.tif 000017